(57)【特許請求の範囲】
【請求項１】
携帯端末と可搬型基地局装置とを接続インターフェイスを介して物理的に接続することによって構成される可搬型基地局システムであって、
前記可搬型基地局装置は、
前記接続インターフェイスでの物理的接続を契機に、前記携帯端末の機種を特定する機種特定情報を前記携帯端末から受信する機種特定情報受信手段と、
当該可搬型基地局装置を基地局として動作させるための設定を行う設定画面を表示させるための画面情報を、前記携帯端末の機種ごとに予め格納する画面情報格納手段と、
前記機種特定情報に基づいて、前記画面情報格納手段に格納されている画面情報のうちから、前記携帯端末の機種に対応する一の画面情報を選択する画面情報選択手段と、
前記画面情報選択手段によって選択された前記一の画面情報を前記携帯端末に送信する画面情報送信手段とを備え、
前記携帯端末は、
前記接続インターフェイスでの物理的接続を契機に、当該携帯端末の機種を特定する機種特定情報を前記可搬型基地局装置に送信する機種特定情報送信手段と、
前記機種特定情報の送信に応じて、前記可搬型基地局装置の設定画面を表示させるための画面情報を、前記可搬型基地局装置から受信する画面情報受信手段と、
前記画面情報に基づいて前記設定画面を表示させる表示手段と、
前記画面情報を受信したときに、前記設定画面に入力する設定情報をネットワークに接続された設定情報管理サーバから前記可搬型基地局装置を介さずに取得する設定情報取得手段と、
を備えたことを特徴とする可搬型基地局システム。
【請求項２】
前記可搬型基地局装置は、
前記機種特定情報の受信に併せて、前記携帯端末を特定する端末特定情報を受信する端末特定情報受信手段と、
予め登録された登録ユーザの携帯端末を特定する端末特定情報を格納する端末特定情報格納手段と、
前記端末特定情報受信手段が受信した前記端末特定情報が、前記端末特定情報格納手段に格納された端末特定情報に一致するか否かを判断するユーザ判断手段とを更に備え、
前記画面情報送信手段は、前記ユーザ判断手段によって、前記端末特定情報受信手段が受信した前記端末特定情報が、前記端末特定情報格納手段に格納された端末特定情報に一致すると判断された場合に、前記一の画面情報を前記携帯端末に送信することを特徴とする請求項１記載の可搬型基地局システム。
【発明の詳細な説明】
【技術分野】
【０００１】
本発明は、主として家庭内に設置され、携帯端末とネットワークとの通信を中継する可搬型基地局装置、及びこのような可搬型基地局装置に接続される携帯端末に関する。
【背景技術】
【０００２】
近年、携帯端末の普及が進むにつれて、携帯端末のアクセスポイントとして簡易に設置可能な可搬型基地局装置の開発が進められている（例えば特許文献１参照）。可搬型基地局装置が家庭等の様々な場所で普及すれば、携帯端末の通信エリアの拡大を実現できるほか、将来的に家庭内の各家電機器を接続するためのホームサーバとして機能させることも期待できる。
【特許文献１】特開平６−３１１０９９号公報
【発明の開示】
【発明が解決しようとする課題】
【０００３】
可搬型基地局装置を各家庭等に普及させるにあたっては、ユーザ層の拡大に対応すべく、装置の内部機能の設定を簡便に行うことができる環境をユーザに提供するための技術が求められている。
【０００４】
本発明は、上記課題の解決のためになされたものであり、内部機能の設定を簡便に行うことができる可搬型基地局装置、及びこのような可搬型基地局の操作に用いる携帯端末を提供することを目的とする。
【課題を解決するための手段】
【０００５】
上記課題の解決のため、本発明に係る可搬型基地局装置は、携帯端末を物理的に接続可能な接続インターフェイスを備えた可搬型基地局装置であって、接続インターフェイスでの物理的接続を契機に、携帯端末の機種を特定する機種特定情報を携帯端末から受信する機種特定情報受信手段と、当該可搬型基地局装置の設定画面を表示させるための画面情報を、携帯端末の機種ごとに予め格納する画面情報格納手段と、機種特定情報に基づいて、画面情報格納手段に格納されている画面情報のうちから、携帯端末の機種に対応する一の画面情報を選択する画面情報選択手段と、画面情報選択手段によって選択された一の画面情報を携帯端末に送信する画面情報送信手段とを備えたことを特徴としている。
【０００６】
この可搬型基地局装置では、予め携帯端末の機種ごとに画面情報が格納されており、物理的に接続された携帯端末の機種に応じた設定画面の画面情報を携帯端末に送信する。したがって、この可搬型基地局装置では、携帯端末をケーブル等によって物理的に繋ぐだけで、自動的に設定画面にアクセスすることが可能となるため、様々なユーザ層に対して可搬型基地局装置の内部機能の設定を簡便に行うことができる環境を提供できる。
【０００７】
また、可搬型基地局装置は、機種特定情報の受信に併せて、携帯端末を特定する端末特定情報を受信する端末特定情報受信手段と、予め登録された登録ユーザの携帯端末を特定する端末特定情報を格納する端末特定情報格納手段と、端末特定情報受信手段が受信した端末特定情報が、端末特定情報格納手段に格納された端末特定情報に一致するか否かを判断するユーザ判断手段とを更に備え、画面情報送信手段は、ユーザ判断手段によって、端末特定情報受信手段が受信した端末特定情報が、端末特定情報格納手段に格納された端末特定情報に一致すると判断された場合に、一の画面情報を携帯端末に送信することが好ましい。このようなユーザ認証を可搬型基地局装置側で行うことにより、可搬型基地局装置の設定の簡便化を図りつつ、ユーザのなりすまし等による不正な操作を防止できる。
【０００８】
また、本発明に係る携帯端末は、可搬型基地局装置を物理的に接続可能な接続インターフェイスを備えた携帯端末であって、接続インターフェイスでの物理的接続を契機に、当該携帯端末の機種を特定する機種特定情報を可搬型基地局装置に送信する機種特定情報送信手段と、機種特定情報の送信に応じて、可搬型基地局装置の設定画面を表示させるための画面情報を、可搬型基地局装置から受信する画面情報受信手段と、画面情報に基づいて設定画面を表示させる表示手段とを特徴としている。
【０００９】
この携帯端末では、物理的に接続された可搬型基地局装置に機種特定情報を送信し、可搬型基地局装置の設定画面を表示させるための画面情報を可搬型基地局装置から受信する。したがって、この携帯端末では、可搬型基地局装置をケーブル等によって物理的に繋ぐだけで、自動的に設定画面にアクセスすることが可能となるため、様々なユーザ層に対して可搬型基地局装置の内部機能の設定を簡便に行うことができる環境を提供できる。
【００１０】
また、携帯端末は、画面情報を受信したときに、設定画面に入力する設定情報をネットワーク側から取得する設定情報取得手段を更に備えたことが好ましい。こうすると、ユーザ側の操作を一層簡略化することが可能となる。
【発明の効果】
【００１１】
以上説明したように、本発明に係る可搬型基地局装置及び携帯端末によれば、内部機能の設定を簡便に行うことができる。これにより、可搬型基地局装置を各家庭等に普及させるにあたってのユーザ層の拡大に対応できる。
【発明を実施するための最良の形態】
【００１２】
以下、図面を参照しながら、本発明に係る可搬型基地局装置及び携帯端末の好適な実施形態について詳細に説明する。
【００１３】
図１は、本発明に係る可搬型基地局装置及び携帯端末の概略を示す斜視図である。また、図２は、図１に示した可搬型基地局装置及び携帯端末の構成図である。図１及び図２に示す可搬型基地局装置１は、主として家庭内に設置され、携帯端末のアクセスポイントとして機能する装置として構成されている。可搬型基地局装置１とネットワークＮとは、例えばＷＡＮケーブルＣを介してネットワークＮと相互に情報通信可能に接続されている。ネットワークＮには、可搬型基地局装置１による携帯端末２の通信サービスの提供を行っている通信事業者が管理する設定情報管理サーバ１０が接続されている。
【００１４】
携帯端末２は、例えば可搬型基地局装置１による通信サービスを提供する通信事業者が開設する移動体通信網（図示しない）に属する携帯端末であり、可搬型基地局装置１のコンフィグレーション設定情報を確認・操作するための端末である。
【００１５】
可搬型基地局装置１と携帯端末２とは、図１に示すように、共通のＵＳＢポート（接続インターフェイス）５Ａ，５Ｂをそれぞれ備えている。ＵＳＢポート５Ａ，５Ｂには、例えば前述の通信事業者によって規格化された専用ＵＳＢケーブル６を物理的に接続することが可能であり、可搬型基地局装置１と携帯端末２とは、専用ＵＳＢケーブル６を介して、相互に情報通信可能に構成されている。以下、各構成要素について、詳細に説明する。
【００１６】
まず、可搬型基地局装置１の構成について説明する。
【００１７】
可搬型基地局装置１は、物理的には、ＣＰＵ（中央処理装置）、メモリといった記憶装置、ディスプレイといった表示装置等を備えたコンピュータシステムである。また、可搬型基地局装置１は、機能的な構成要素として、装置特定情報送信部（装置特定情報送信手段）１０１と、機種特定情報受信部（機種特定情報受信手段、端末特定情報受信手段）１０２と、ユーザ認証部（ユーザ判断手段）１０３と、ＵＩＭ収容部１０４と、ブラウザ情報取得部１０５と、画面情報選択部（画面情報選択手段）１０６と、画面情報格納部（画面情報格納手段）１０７と、画面情報送信部（画面情報送信手段）１０８と、設定情報受信部１０９と、完了処理部１１０とを備えている。
【００１８】
装置特定情報送信部１０１は、可搬型基地局装置１を特定する基地局ＩＤ（装置特定情報）を携帯端末２に送信する部分である。装置特定情報送信部１０１は、専用ＵＳＢケーブル６を介して接続された携帯端末２が接続されると、ＵＩＭ収容部１０４に収容されている基地局装置用ＵＩＭ（端末特定情報格納手段）２０から基地局ＩＤを読み出して携帯端末２に送信する。
【００１９】
機種特定情報受信部１０２は、基地局ＩＤの送信に応じて、携帯端末２の機種を示す機種名情報（機種特定情報）を携帯端末２から受信する部分である。また、機種特定情報受信部１０２は、機種名情報と併せてユーザＩＤ及び電話番号（端末特定情報）を携帯端末２から受信する。機種特定情報受信部１０２は、受信した各情報をユーザ認証部１０３に出力する。
【００２０】
ユーザ認証部１０３は、携帯端末２のユーザ認証を行う部分である。ユーザ認証部１０３は、機種特定情報受信部１０２から受け取ったユーザＩＤ及び電話番号に基づいて基地局装置用ＵＩＭ２０を参照し、携帯端末２のユーザが予め基地局装置用ＵＩＭ２０に登録された登録ユーザであるか否かを判断する。ユーザ認証部１０３は、携帯端末２のユーザが登録ユーザであると判断した場合には、機種名情報をブラウザ情報取得部１０５に出力する。また、ユーザ認証部１０３は、携帯端末２のユーザが登録ユーザでないと判断した場合には、その旨を携帯端末２に通知する。
【００２１】
ブラウザ情報取得部１０５は、携帯端末２のブラウザ情報の詳細を取得する部分である。より具体的には、ブラウザ情報取得部１０５は、ユーザ認証部１０３から機種名情報を受け取ると、携帯端末２に対して、可搬型基地局装置１のコンフィグレーション設定画面を表示させるためのブラウザの起動を要求するブラウザ起動要求情報を送信する。そして、ブラウザ情報取得部１０５は、ブラウザ起動要求情報の送信に応じて、当該ブラウザの表示領域、ファイル形式、最大データサイズ等を示すＵＡ（ユーザエージェント）情報を携帯端末２から受信する。ブラウザ情報取得部１０５は、受信したＵＡ情報を機種名情報と共に画面情報選択部１０６に出力する。
【００２２】
画面情報選択部１０６は、ブラウザ情報取得部１０５から受け取った機種名情報及びＵＡ情報に基づいて、画面情報格納部１０７に格納されている画面情報のうちから、携帯端末２のブラウザに対応する一の画面情報を選択する部分である。ここで、画面情報格納部１０７に格納されている画面情報の一例を図３に示す。図３に示すように、画面情報格納部１０７には、携帯端末の機種に関連付けて、可搬型基地局装置１のコンフィグレーション設定画面を表示させるための画面情報が画面サイズごとに格納されている。
【００２３】
すなわち、画面情報格納部１０７には、機種「ＸＸ−ＸＸＸＸ」について、９６×７２サイズの画面情報「ＸＸ９６×７２．ｈｔｍ」、１１２×８４サイズの画面情報「ＸＸ１１２×８４．ｈｔｍ」、及び９６×１２０サイズの画面情報「ＸＸ９６×１２０．ｈｔｍ」が格納され、別の機種「ＹＹ−ＹＹＹＹ」について、９６×９０サイズの画面情報「ＹＹ９６×９０．ｈｔｍ」、１１８×１２８サイズの画面情報「ＹＹ１１８×１２８．ｈｔｍ」、及び１２０×１２０サイズの画面情報「ＹＹ１２０×１２０．ｈｔｍ」が格納されている。画面情報選択部１０６は、選択した一の画面情報を画面情報送信部１０８に出力する。画面情報送信部１０８は、画面情報選択部１０６から受け取った一の画面情報を携帯端末２に送信する。
【００２４】
設定情報受信部１０９は、携帯端末２からコンフィグレーション設定に関する設定情報を受信する部分である。設定情報受信部１０９は、受信した設定情報を完了処理部１１０に出力する。完了処理部１１０は、完了処理部１１０は、設定情報を受け取ると、当該設定情報に関連付けた暗号キー情報を生成する。そして、完了処理部１１０は、生成した暗号キー情報を設定情報管理サーバ１０に送信する。
【００２５】
次に、携帯端末２の構成について説明する。
【００２６】
携帯端末２は、物理的には、ＣＰＵ（中央処理装置）、メモリといった記憶装置、プッシュボタンといった入力装置等を備えた携帯電話機である。携帯端末２は、機能的な構成要素として、装置特定情報受信部（装置特定情報受信手段）２０１と、機種特定情報送信部（機種特定情報送信手段）２０２と、ＵＩＭ収容部２０３と、ブラウザ制御部（画面情報受信手段）２０４と、表示部（表示手段）２０５と、設定情報取得部（設定情報取得手段）２０６と、設定情報送信部２０７とを備えている。
【００２７】
装置特定情報受信部２０１は、可搬型基地局装置１から基地局ＩＤを受信する部分である。装置特定情報受信部２０１は、受信した基地局ＩＤを機種特定情報送信部２０２に出力する。
【００２８】
機種特定情報送信部２０２は、基地局ＩＤの受信に応じて、携帯端末２の機種名情報を可搬型基地局装置１に送信する部分である。機種特定情報送信部２０２は、装置特定情報受信部２０１から受け取った基地局ＩＤに基づいて可搬型基地局装置１を認証した後、ＵＩＭ収容部２０３に収容されている携帯端末用ＵＩＭ３０を参照し、機種名情報、ユーザＩＤ、及び携帯端末２の電話番号を取得する。機種特定情報送信部２０２は、これらの各情報を可搬型基地局装置１に送信する。また、機種特定情報送信部２０２は、基地局ＩＤをブラウザ制御部２０４に出力する。
【００２９】
ブラウザ制御部２０４は、設定画面を表示する表示部２０５を制御する部分である。ブラウザ制御部２０４は、機種特定情報送信部２０２による各情報の送信に応じて可搬型基地局装置１から送信されるブラウザ起動要求情報を受信し、表示部２０５にブラウザを起動させる。ブラウザ制御部２０４は、起動したブラウザのＵＡ情報を可搬型基地局装置１に送信する。
【００３０】
また、ブラウザ制御部２０４は、ＵＡ情報の送信に応じて可搬型基地局装置１から送信される画面情報を受信する。ブラウザ制御部２０４は、受信した画面情報に基づいて、表示部２０５のブラウザにコンフィグレーション設定画面を表示させる。コンフィグレーション設定画面に表示される項目の例については後述する。ブラウザ制御部２０４は、コンフィグレーション設定画面を介して、コンフィグレーション設定画面に入力する設定情報の取得を指示する取得指示情報が入力された場合に、当該取得指示情報を基地局ＩＤと共に設定情報取得部２０６に出力する。
【００３１】
設定情報取得部２０６は、携帯端末２用の設定情報を設定情報管理サーバ１０から取得する部分である。設定情報取得部２０６は、ブラウザ制御部２０４から取得指示情報及び基地局ＩＤを受け取ると、設定情報の送信を要求する送信要求情報を設定情報管理サーバ１０に送信する。
【００３２】
また、設定情報取得部２０６は、送信要求情報と併せて、基地局ＩＤとユーザＩＤとを設定情報管理サーバ１０に送信する。そして、設定情報取得部２０６は、各情報の送信に応じて設定情報管理サーバ１０から送信される設定情報を受信し、この設定情報を設定情報送信部２０７に出力する。設定情報送信部２０７は、設定情報取得部２０６から受け取った設定情報を可搬型基地局装置１に送信する。
【００３３】
さらに、設定情報管理サーバ１０について説明する。
【００３４】
設定情報管理サーバ１０は、物理的には、ＣＰＵ（中央処理装置）、メモリといった記憶装置、ディスプレイといった表示装置等を備えたコンピュータシステムであり、可搬型基地局装置１による通信サービスに加入するユーザごとの設定情報を管理するサーバである。設定情報管理サーバ１０は、携帯端末２から送信要求情報、基地局ＩＤ、及びユーザＩＤを受信すると、各ＩＤに基づいてユーザ認証を行う。
【００３５】
設定情報管理サーバ１０は、ユーザ認証が完了すると、携帯端末２用の設定情報を携帯端末２に送信する。また、設定情報管理サーバ１０は、可搬型基地局装置１から暗号キー情報を受け取ると、この暗号キー情報を携帯端末２の設定情報に関連付けて格納する。その後、設定情報管理サーバ１０は、可搬型基地局装置１及び携帯端末２のそれぞれに、設定完了通知を行う。
【００３６】
続いて、上述した構成を有する可搬型基地局装置１及び携帯端末２の動作について、図４に示すシーケンス図を参照しながら説明する。
【００３７】
図４に示すように、まず専用ＵＳＢケーブル６によって可搬型基地局装置１と携帯端末２とが物理的に接続されると（ステップＳ０１）、可搬型基地局装置１から携帯端末２に基地局ＩＤが送信される（ステップＳ０２）。携帯端末２は、受信した基地局ＩＤに基づいて可搬型基地局装置１を認証した後、機種名情報、ユーザＩＤ、及び電話番号を可搬型基地局装置１に送信する（ステップＳ０３）。
【００３８】
可搬型基地局装置１は、受信したユーザＩＤ及び電話番号に基づいて携帯端末２のユーザ認証を行う（ステップＳ０４）。ユーザ認証が完了した後、可搬型基地局装置１は、携帯端末２にブラウザ起動要求情報を送信する（ステップＳ０５）。ブラウザ起動要求情報を受信した携帯端末２では、表示部２０５にブラウザが起動し（ステップＳ０６）、このブラウザのＵＡ情報が携帯端末２から可搬型基地局装置１に送信される（ステップＳ０７）。
【００３９】
ステップＳ０７の後、可搬型基地局装置１では、機種名情報及びＵＡ情報に基づいて、画面情報の選択が行われる（ステップＳ０８）。選択された一の画面情報は、携帯端末２に送信され（ステップＳ０９）、携帯端末２のブラウザにコンフィグレーション設定画面が表示される（ステップＳ１０）。
【００４０】
ここで、コンフィグレーション設定画面の一例を図５及び図６に示す。図５（ａ）に示す例では、「利用者追加」、「コンフィグ確認」、「ログ確認」、及び「初期設定」の各項目が表示されている。「利用者の追加」の項目を選択すると、図５（ｂ）に示すように、「利用者の追加を行います」というメッセージと共に、現在の設定者の氏名「△△」、電話番号「＊＊＊＊＊＊＊＊」といった項目が表示され、一番下の項目に、追加したい利用者の氏名及び電話番号を入力する入力ボックスが表示される。
【００４１】
また、「コンフィグ確認」の項目を選択すると、図５（ｃ）に示すように、「現在の設定情報です」というメッセージと共に、アドレス「＊＊＊．＊＊＊．＊＊＊」、ユーザＩＤ「＊＊＊」、ＮＷ設定ＩＤ「＊＊＊」、及び３つの周辺基地局ＩＤ「ＡＡＡＡＡ」、「ＢＢＢＢＢ」、「ＣＣＣＣＣ」が表示される。「ログ情報」の項目を選択すると、図５（ｄ）に示すように、「利用ログを表示します」というメッセージと共に、日時「１１／１１」、氏名「○○」、時間「２０：３０」、割引「○」が表示される。
【００４２】
一方、「初期設定」の項目を選択すると、図６（ａ）に示すように、「ＮＷに関する初期設定を行います。固定ＢＢ回線に接続されていること、および圏内であることを確認し、下記ボタンを押下してください」という確認メッセージが表示され、その下に「ＯＫ」ボタンが表示される。ユーザが「ＯＫ」ボタンを押下する操作を行うと、携帯端末２から設定情報管理サーバ１０に設定情報の送信要求情報、基地局ＩＤ、及びユーザＩＤが送信される（ステップＳ１１）。この際、携帯端末２のブラウザには、例えば図６（ｂ）に示すように、「初期設定データ取得中」というメッセージと共に、「中止」ボタンが表示される。
【００４３】
設定情報管理サーバ１０は、送信要求情報、基地局ＩＤ、及びユーザＩＤが送信されると、各ＩＤに基づいてユーザ認証を行い（ステップＳ１２）、ユーザ認証が完了した後、携帯端末２に設定情報を送信する（ステップＳ１３）。これにより、携帯端末２のブラウザには、例えば図６（ｃ）に示すように、アドレス「＊＊＊．＊＊＊．＊＊＊」、ユーザＩＤ「＊＊＊」、ＮＷ設定ＩＤ「＊＊＊」、及び３つの周辺基地局ＩＤ「ＡＡＡＡＡ」、「ＢＢＢＢＢ」、「ＣＣＣＣＣ」が表示され、その下には、「機器に設定」ボタン及び「中止」ボタンが表示される。
【００４４】
ユーザが「機器に設定」ボタンを押下する操作を行うと、携帯端末２から可搬型基地局装置１に設定情報が送信される（ステップＳ１４）。この間、携帯端末２のブラウザには、例えば図６（ｄ）に示すように、「設定データ送信、設定中」というメッセージが表示される。可搬型基地局装置１は、設定情報を受信した後、設定情報管理サーバ１０に暗号キー情報を送信する（ステップＳ１５）。
【００４５】
暗号キー情報を受信した設定情報管理サーバ１０は、当該暗号キーを携帯端末２用の設定情報と関連付けて格納すると共に、可搬型基地局装置１及び携帯端末２に設定完了通知を送信する（ステップＳ１６，ステップＳ１７）。携帯端末２のブラウザには、例えば図６（ｅ）に示すように、「必要なセットアップが完了しました」というメッセージと共に、現在の設定者の氏名「△△」、電話番号「＊＊＊＊＊＊＊＊」といった項目、及び「終了」ボタンが表示される。ユーザが「終了」ボタンを押下すると、コンフィグレーションの設定が完了する。
【００４６】
以上説明したように、可搬型基地局装置１及び携帯端末２では、携帯端末２を専用ＵＳＢケーブル６によって可搬型基地局装置１に繋ぐと、携帯端末２の機種及びブラウザに適合する一の画面情報が携帯端末２に送信され、可搬型基地局装置１のコンフィグレーション設定画面が携帯端末２のブラウザに表示される。このように、可搬型基地局装置１及び携帯端末２では、可搬型基地局装置１に携帯端末２を物理的に接続するだけで、自動的にコンフィグ設定画面にアクセスすることが可能となるため、様々なユーザ層に対して可搬型基地局装置１のコンフィグレーション設定を簡便に行うことができる環境を提供できる。
【００４７】
また、可搬型基地局装置１では、携帯端末２のユーザが予め基地局装置用ＵＩＭ２０に登録された登録ユーザである場合に限って、携帯端末２に一の画面情報の送信を行うようになっている。このため、可搬型基地局装置の設定の簡便化を図りつつ、ユーザのなりすまし等による不正な操作を防止できる。
【００４８】
一方、携帯端末２では、画面情報を受信したときに、コンフィグレーション設定画面に入力する設定情報を設定情報管理サーバ１０から取得するようになっている。このため、設定情報の入力に関するユーザ側の操作を一層簡略化することが可能となっている。
【００４９】
本発明は上記実施形態に限られるものではない。例えば、可搬型基地局装置１に格納される画面情報は、ｈｔｍ形式に限られず、携帯端末２のブラウザの性能に合わせて、テキスト形式、Ｆｌａｓｈ形式など、種々のファイル形式を適用できる。また、ネットワークＮ側から画面情報をダウンロードする手段を可搬型基地局装置１に設け、画面情報の更新をできるようにしてもよい。
【００５０】
また、コンフィグレーション設定画面の初期設定においては、設定情報を必ずしも設定情報管理サーバ１０から受信するように構成する必要はなく、ユーザによる手動の入力を受け付けるようにしてもよい。この場合、例えば携帯端末２が通信圏外に位置する場合であっても、可搬型基地局装置１の設定情報を操作できる。
【図面の簡単な説明】
【００５１】
【図１】本発明に係る可搬型基地局装置及び携帯端末の一実施形態を示す斜視図である。
【図２】図１に示した可搬型基地局装置及び携帯端末の機能的な構成要素を示す図である。
【図３】画面情報格納部に格納される情報の一例を示す図である。
【図４】図１に示した可搬型基地局装置及び携帯端末の動作を示すシーケンス図である。
【図５】コンフィグレーション設定画面の一例を示す図である。
【図６】初期設定時におけるコンフィグレーション設定画面の一例を示す図である。
【符号の説明】
【００５２】
１…可搬型基地局装置、２…携帯端末、５Ａ，５Ｂ…ＵＳＢポート、２０…基地局装置用ＵＩＭ、１０１…装置特定情報送信部、１０２…機種特定情報受信部、１０３…ユーザ認証部、１０６…画面情報選択部、１０７…画面情報格納部、１０８…画面情報送信部、２０１…装置特定情報受信部、２０２…機種特定情報送信部、２０４…ブラウザ制御部、２０５…表示部、２０６…設定情報取得部、Ｎ…ネットワーク。
【図１】
0004563333.tif 000002
【図２】
0004563333.tif 000003
【図３】
0004563333.tif 000004
【図４】
0004563333.tif 000005
【図５】
0004563333.tif 000006
【図６】
0004563333.tif 000007